(57)【要約】      （修正有）【課題】保護カバーのみで壁に固定するため保護カバーが曲がり易く壁への固定作業を容易に行うことができると共に、保護カバーを壁に固定した後保護部材を保護カバーの貫通孔を成す端面部に取付けるため、保護カバーのホツレ等を目立たなくすることができる壁保護装置の取付け方法を提供する。【解決手段】エレベータのかご室内の壁２に有する該エレベータと関連する操作盤5を回避した貫通孔６aを設けると共に、壁２を覆う保護カバー６と、保護カバー６の裏面に設けられると共に、保護カバー６を壁２に固定するマグネット７と、保護カバー６の貫通孔６aを成す端面部に設けられた第1の保護部材９と、を備えた壁保護装置取付け方法であり、保護カバー６を丸めた状態からこれを延ばしてマグネット７により壁２に固定する第１の工程と、第１の工程を実行した後、第１の保護部材９を前記端面部に設置する第２の工程とからなる。【選択図】図３
2012218867.tif 000002
【特許請求の範囲】
【請求項１】
エレベータのかご室内の壁に有する該エレベータと関連する機器を回避した貫通孔を設けると共に、前記壁を覆う保護カバーと、
前記保護カバーの裏面に設けられると共に、前記保護カバーを壁に固定する磁気吸引力を有する磁気吸引部材と、
前記保護カバーの前記貫通孔を成す端面部に設けられた第1の保護部材と、を備えたエレベータかご室の壁保護装置取付け方法であって、
前記保護カバーを丸めた状態から、これを延ばして前記磁気吸引部材により前記壁に固定する第１の工程と、
前記第１の工程を実行した後、前記第１の保護部材を前記端面部に設置する第２の工程と、
を備えたことを特徴とするエレベータかご室の壁保護装置取付け方法。
【請求項２】
前記第１の工程を実行した後、前記保護カバーの外周部に第２の保護部材を設置する第３の工程を、
備えたことを特徴とする請求項1に記載のエレベータかご室の壁保護装置取付け方法。
【請求項３】
前記保護カバーの裏面に設けられた第１の係止部を有する第１の係止部材と、
前記第１の保護部材に設けられると共に、前記第１の係止部と係合する第１の被係止部を有する第１の被係止部材と、
を備えたことを特徴とする請求項１に記載のエレベータかご室の壁保護装置取付け方法。
【請求項４】
前記保護カバーの裏面に設けられた第２の係止部を有する第２の係止部材と、
前記第２の保護部材に設けられると共に、前記第２の係止部と係合する第２の被係止部を有する第２の被係止部材と、
を備えたことを特徴とする請求項２に記載のエレベータかご室の壁保護装置取付け方法。
【発明の詳細な説明】
【技術分野】
【０００１】
本発明は、エレベータのかご室壁の意匠面を保護する壁保護装置の取付け方法に関するものである。
【背景技術】
【０００２】
従来、エレベータかご室壁の意匠面の保護用として用いる保護カバーは、布製のニードルパンチカーペットやタフテッドカーペットが用いられている。保護カバ−は裏面に接着剤等でマグネットが固着され、そのマグネットの磁力で壁パネルに固定されている。（例えば、特許文献１ 参照）。
【先行技術文献】
【特許文献】
【０００３】
【特許文献１】特開平１１−１９９１６０号公報  (第２項  第１図)
【発明の概要】
【発明が解決しようとする課題】
【０００４】
しかしながら、かご室壁には操作盤や鏡等の機器が配置されており、保護カバーにはそれらの機器を回避するための貫通孔が設けられている。そして、この貫通孔を成す端面部にはホツレ等が目立ち意匠性がよくなかった。対策として貫通孔を成す端面部を被覆する手段も考えられたが、貫通孔の形状は多様であるため個別に対応することが煩雑であった。
【０００５】
本発明は上記課題を解決するためになされたもので、保護カバーのみで壁に固定するため保護カバーが曲がり易く壁への固定作業を容易に行うことができると共に、保護カバーを壁に固定した後保護部材を保護カバーの貫通孔を成す端面部に取付けるため、保護カバーのホツレ等を目立たなくすることができる壁保護装置の取付け方法を提供するものである。
【課題を解決するための手段】
【０００６】
本発明によるエレベータかご室の壁保護装置取付け方法は、エレベータのかご室内の壁に有する該エレベータと関連する機器を回避した貫通孔を設けると共に、前記壁を覆う保護カバーと、前記保護カバーの裏面に設けられると共に、前記保護カバーを壁に固定する磁気吸引力を有する磁気吸引部材と、前記保護カバーの前記貫通孔を成す端面部に設けられた第1の保護部材と、を備えたエレベータかご室の壁保護装置取付け方法であって、前記保護カバーを丸めた状態から、これを延ばして前記磁気吸引部材により前記壁に固定する第１の工程と、前記第１の工程を実行した後、前記第１の保護部材を前記端面部に設置する第２の工程と、を備えたものである。
【０００７】
また、本発明は前記第１の工程を実行した後、前記保護カバーの外周部に第２の保護部材を設置する第３の工程を備えていることが好ましい。
【０００８】
さらに、本発明は前記保護カバーの裏面に設けられた第１の係止部を有する第１の係止部材と、前記第１の保護部材に設けられると共に、前記第１の係止部と係合する第１の被係止部を有する第１の被係止部材と、を備えていることが好ましい。
【０００９】
また、本発明は前記保護カバーの裏面に設けられた第２の係止部を有する第２の係止部材と、前記第２の保護部材に設けられると共に、前記第２の係止部と係合する第２の被係止部を有する第２の被係止部材と、を備えていることが好ましい。
【発明の効果】
【００１０】
本発明では、エレベータかご室内の壁に有する該エレベータと関連する機器を回避した貫通孔を保護カバーに設けると共に、保護カバーを丸めた状態からこれを延ばして壁に磁気吸引部材により固定する第１の工程と、第１の工程を実行した後、保護カバーの貫通孔を成す端面部に保護部材を配置する第２の工程を設けている。これにより、保護カバーは保護部材が取付いていない状態で壁への固定作業を行うため曲がり易く、壁への固定作業を容易に行うことができると共に、保護カバーを壁に固定した後保護部材を保護カバーに取付けるため保護カバーのホツレ等を目立たなくすることができる。
【図面の簡単な説明】
【００１１】
【図１】本発明の実施の形態を示すエレベータかご室の断面図である。
【図２】図１のかご室の壁を矢印A方向から見た図である。
【図３】図２を矢印III方向から見た断面図である。
【図４】図２の矢印IV方向から見た断面図である。
【発明を実施するための形態】
【００１２】
以下、本発明を実施するための形態について、添付の図面を参照して説明する。
【００１３】
実施の形態１
図１〜図４は、本発明の実施の形態１を説明する図である。
【００１４】
図１において、かご室１は、側面と正面はかご床４に立てられた鋼板等の壁２からなり、かご室１の入り口には戸当り柱１１と袖壁１２を備えている。
【００１５】
図２に示すように、かご室１の上方にかご室天井３を設けている。壁２には、かご操作盤５（機器）が設置されている。そして、かご操作盤５を回避した貫通孔６aを有した保護カバー６が壁２に固定されている。
【００１６】
保護カバー６の裏面にはマグネット７（磁気吸引部材）が所定の間隔をおいて接着剤等で固定されている。そして、マグネット７は貫通孔６aを成す端面部の裏面にも接着剤等で固定されている。マグネット７は薄いシート状のものであり、柔軟性がある。
また、第１の保護部材９が保護カバー６の貫通孔６aを成す端面部に配置されており、第２の保護部材１５が保護カバー６の外周部に配置されている。
【００１７】
図３で示すように、保護カバー６の裏面には貫通孔６aを成す端面部に、面ファスナーのループ側８（第１の係止部材）が接着剤等で固定されている。第１の保護部材９は断面がL字型である。第１の保護部材９には保護カバー６の裏面との当接面９ｂに、面ファスナーのフック側１０（第１の被係止部材）が接着剤等で固定されている。第１の保護部材９の覆い面９aは、貫通孔６aを成す端面部に当接している。また、かご操作盤５と保護カバー６の貫通孔６aを成す端面部との間には隙間６ｂを有している。
【００１８】
ここで、保護カバー６はタフテッドカーペット製法で製作された布製の保護カバーであり、意匠面であるパイル糸６cが不敷布(一次基布)６ｄにタフティングにより固定されており、この不敷布(一次基布)６ｄと不敷布(二次基布)６eが接着剤６fにより接合されている。
【００１９】
図４で示すように、保護カバー６の裏面の外周部には面ファスナーのループ側１６（第２の係止部材）が接着剤等で固定されている。第２の保護部材１５は断面がL字型である。第２の保護部材１５は保護カバー６の裏面との当接面１５ｂに面ファスナーのフック側１７（第２の被係止部材）が接着剤等で固定されている。第２の保護部材１５の覆い面１５aは、保護カバー６の外周部に当接している。                                                                                                                            
【００２０】
第１の保護部材９と第２の保護部材１５の材質は樹脂あるいはゴムである。第１の保護部材９は一体形成されたものでもよいし、貫通孔６aの形状に沿った断面の少なくとも１箇所で接合されたものでもよい。第２の保護部材１５は定尺物でもよいし、定尺物を任意の長さにカットしたものでもよい。
【００２１】
次に、かご室壁への壁保護装置の取付け方法について説明する。
第１の工程では、保護カバー６を丸めた状態からこれを延ばしながら、マグネット７により壁２に固定する。第１の工程を実行した後、第２の工程において、第１の保護部材９を保護カバー６の貫通孔６aを成す端面部に設置する。なお、第２の工程において、保護カバー６の貫通孔６aを成す端面部を壁２から少し持ち上げ、面ファスナーのループ側８に第１の保護部材９の面ファスナーのフック側１０を係止させ、保護カバー６をマグネット7で壁２に固定する。
【００２２】
第２の保護部材１５は、第２の工程において保護カバー６の外周部に固定する。第２の保護部材１５を保護カバー６に固定する方法は、保護カバー６に固定されている面ファスナーのループ側１６に、第２の保護部材１５に固定されている面ファスナーのフック側１７を係止させて固定する。
【００２３】
上記で説明した実施の形態１による効果を以下に説明する。
エレベータかご室内の壁２に有する該エレベータと関連する操作盤5を回避した貫通孔６aを設けると共に、壁２を覆う保護カバー６と、保護カバー６の裏面に設けられると共に保護カバー６を壁２に固定する磁気吸引力を有するマグネット７と、保護カバー６の貫通孔６aを成す端面部に設けられた第1の保護部材９と、を備え、保護カバー６を丸めた状態からこれを延ばしてマグネット７により壁２に固定する第１の工程と、第１の工程を実行した後、第１の保護部材９を貫通孔６aを成す端面部に設置する第２の工程により壁保護装置を壁２に固定するので、第１の工程において保護カバー６に第１の保護部材９が取付けられていないため保護カバー６が曲がり易く、保護カバー６の壁２への固定作業を行い易い。
【００２４】
また、第２の工程により保護カバー６に設置された第１の保護部材９が保護カバー６の貫通孔６aを成す端面部のホツレを覆うので、貫通孔６aを成す端面部のホツレが見え難くなる。
【００２５】
さらに、第１の工程を実行した後、保護カバー６の外周部に第２の保護部材１５を設置する第３の工程を備えていることが好ましいので、保護カバー６の外周部に設置された第２の保護部材１５により保護カバー６の外周部のホツレを覆うことができ、外周部のホツレが見え難くなる。
【００２６】
また、保護カバー６の裏面に設けられた第１の係止部を有する面ファスナーのループ側８と、第１の保護部材９に設けられると共に、前記第１の係止部と係合する第１の被係止部を有する面ファスナーのフック側１０と、を備えていることが好ましいので、簡単な方法で第１の保護部材９を保護カバー６に係止させることができる。
【００２７】
また、保護カバー６の裏面に設けられた第２の係止部を有する面ファスナーのループ側１６と、第２の保護部材１５に設けられると共に、第２の係止部と係合する第２の被係止部を有する面ファスナーのフック側１７と、を備えていることが好ましいので、簡単な方法で第２の保護部材１５を保護カバー６に係止させることができる。
【００２８】
なお、第１の保護部材９と第２の保護部材１５の断面形状は略コの字型でも良いし、保護カバー６の端面部に接する部分が弧型でもよい。保護カバー６のホツレを覆う形状であればよい。
【符号の説明】
【００２９】
６  保護カバー、  ６a  貫通孔、  ６c  パイル糸、  ６ｄ  不敷布(一次基布)、  ６e  不敷布(二次基布)、  ６f  接着剤、  ７  マグネット、  ８  面ファスナーのループ側、  ９  第１の保護部材、  ９a  覆い面、  ９ｂ  当接面、  １０  面ファスナーのフック側、  １５  第２の保護部材、  １５a  覆い面、  １５ｂ  当接面、１６  面ファスナーのループ側、１７  面ファスナーのフック側、
【図１】
2012218867.tif 000003
【図２】
2012218867.tif 000004
【図３】
2012218867.tif 000005
【図４】
2012218867.tif 000006